(57)【要約】【課題】嵩密度が小さく且つ圧縮率が大きい廃棄物であってもブリッジの発生を防止できるようにする。【解決手段】一端部上側に投入口２を設けてシュート４に接続し、他端部に排出口５を設けたケーシング１内に、スクリュー軸８とスクリュー羽根９とからなるスクリュー７を回転駆動可能に収納する。投入口２の下方となるスクリュー７の一端部に、スクリュー羽根９よりも外周側に突出するプレート部材２２ａ，２２ｂを一体に設ける。各プレート部材２２ａ，２２ｂは、スクリュー７の軸心方向よりスクリュー羽根９の螺旋に沿う方向に多少傾斜した配置とする。シュート４より嵩密度が小さく且つ圧縮率が大きい廃棄物３が供給されても、ケーシング１の投入口２部分に位置する廃棄物３を、スクリュー７の回転に伴って回転する各プレート部材２２ａ，２２ｂによって掻き落とさせることで、ケーシング１の投入口２部分にブリッジが形成される虞を未然に防止させる。【選択図】図１
2005145621.tif 000002
【特許請求の範囲】
【請求項１】
一端側に投入口を設けて該投入口に貯槽の下端を接続し且つ他端に排出口を設けたケーシングの内側に、スクリュー軸と該スクリュー軸に一体に取り付けた螺旋方向のスクリュー羽根とからなるスクリューを回転駆動可能に収納して、上記貯槽より投入口を通してケーシング内に投入される搬送対象物を、回転する上記スクリューにより排出口へ搬送できるようにしてあるスクリューコンベヤにおいて、上記投入口の下方に位置するスクリューの所要個所に、上記スクリュー羽根よりも外周側へ所要寸法突出する高さとした単数又は複数枚のプレート部材を一体に設け、ケーシングの投入口部分でブリッジを形成しようとする搬送対象物を上記スクリューとともに回転する上記プレート部材により掻き落すことができるようにしたことを特徴とするスクリューコンベヤ。
【請求項２】
プレート部材を、スクリュー羽根のピッチ間のスクリュー軸の外周面に取り付けるようにした請求項１記載のスクリューコンベヤ。
【請求項３】
プレート部材を、スクリューの軸心方向よりスクリュー羽根の螺旋方向に沿うよう所要角度傾斜させるようにした請求項１又は２記載のスクリューコンベヤ。
【請求項４】
プレート部材をケーシング内の搬送対象物搬送方向に複数枚設けて、該各プレート部材がほぼ一直線上に並ぶ配置となるようにした請求項３記載のスクリューコンベヤ。
【請求項５】
プレート部材をケーシング内の搬送対象物搬送方向に複数枚設けて、該各プレート部材の高さを互いに異なるものとした請求項１、２、３又は４記載のスクリューコンベヤ。
【請求項６】
プレート部材は、先端部を尖った角部のない滑らかな形状とした請求項１、２、３、４又は５記載のスクリューコンベヤ。
【発明の詳細な説明】
【技術分野】
【０００１】
本発明は、破砕された廃プラスチックのように、嵩密度が小さく且つ圧縮性の高い搬送対象物の搬送に適したスクリューコンベヤに関するものである。
【背景技術】
【０００２】
都市ごみ等の廃棄物を廃棄物処理施設の流動床式やガス化溶融方式等の焼却炉にて焼却処理する場合、炉内の状態を最適な状態に保つために、炉内への廃棄物の供給を給じん装置を用いて定量的に行なうことができるようにしてある。かかる給じん装置の１つとしては、たとえば、一軸式のスクリューコンベヤがある。
【０００３】
上記給じん装置として用いるスクリューコンベヤは、図５（イ）（ロ）（ハ）にその一例の概略を示す如く、以下のような構成としてある。すなわち、横方向に延びて一端（基端）側寄りの上部に投入口２を設けて該投入口２に廃棄物３の貯槽（シュート）４の下端を連通接続させ、且つ他端に排出口５を設けてなるケーシング１を架台６上に設置し、該ケーシング１の上記排出口５側を図示しない焼却炉の炉体に接続するようにしてある。更に、上記ケーシング１内に収納するスクリュー７は、スクリュー軸８に螺旋方向に延びるスクリュー羽根９を一体に取り付けてなる構成としてあって、上記ケーシング１内に、先端が排出口５に臨むような配置とし且つ基端部をケーシング１の一端側壁を貫通させるようにして収納されている。又、上記ケーシング１の一端側壁を貫通してケーシング１の外側へ突出させたスクリュー７のスクリュー軸８の基端部を、上記架台６上に設置してある軸受１０に片持ち式に回転自在に支持させると共に、上記架台６上に設置した駆動装置１１に所要の動力伝達機構１２を介し連結して、上記スクリュー７がケーシング１内にて回転できるようにしてある。
【０００４】
上記動力伝達機構１２は、たとえば、駆動装置１１に連結した減速機１３と、該減速機１３の出力軸に一体に取り付けたスプロケット１４と、スクリュー７のスクリュー軸８の基端部に取り付けたスプロケット１５と、上記各スプロケット１４と１５に無端状に掛け回したチェーン１６とを備えて、駆動装置１１による回転駆動力を、減速機１３と、両スプロケット１４及び１５と、チェーン１６を介してスクリュー軸８に伝達することにより、上記スクリュー７を回転駆動できるようにしてある。
【０００５】
かかる構成としてあることにより、上記駆動装置１１より動力伝達機構１２を介して伝達される回転駆動力により上記スクリュー７をケーシング１内にて回転駆動させ、このスクリュー７のスクリュー羽根９の回転により、シュート４より投入口２を通してケーシング１内へ落下投入される搬送対象物としての廃棄物３を順次排出口５側へ搬送させ、これにより、排出口５より廃棄物３を順次押し出して、図示しない焼却炉へ定量供給できるようにしてある。
【０００６】
ところで、図５（イ）に二点鎖線で示す如く、上記ケーシング１の投入口２の部分にてシュート４より供給される廃棄物３がブリッジを発生すると、たとえスクリュー７が回転していても、スクリュー羽根９に廃棄物３が飲み込まれなくなって廃棄物３の搬送が停止してしまうことがある。このような廃棄物３のブリッジが発生した際には、ケーシング１もしくはシュート４下部の所要個所に設けてある図示しないコンベヤ点検口より廃棄物３を排出させる必要があり、施設の運転に支障を来たすことにつながるため、上記ケーシング１の投入口２部分における廃棄物３のブリッジの発生を防止できるようにすることが求められる。
【０００７】
このような搬送対象物としての廃棄物３によるケーシング１の投入口２部分におけるブリッジの発生を防止するための対策の一つとしては、シュート４の形状を、上方から下方へ向けてあまり絞りのない形状となるようにすることが考えられる。
【０００８】
又、二軸式のスクリューコンベヤを用いた廃棄物給じん装置においては、ケーシング１の投入口２部分における廃棄物３のブリッジの発生を防止するため対策として、シュート４下部の両側面及び後面に、図６に示す如く、押しロッド１８をケーシング１の投入口２の方向に向けて押し引きできるようにしたエアシリンダ等のプッシャー装置１７を設けてなる形式のブリッジ解除装置を装備して、ケーシング１の投入口２の部分にて廃棄物３のブリッジが発生した場合には、上記各プッシャー装置１７により押しロッド１８を同時に前進させることで、該各押しロッド１８により上記ケーシング１の投入口２部分に形成された廃棄物３のブリッジを、ケーシング１内へ突き崩すようにすることも提案されている（たとえば、特許文献１参照）。
【０００９】
更に、図７に示すものは、ケーシング１の排出口５に排出された廃棄物３のブリッジの発生を防止するもので、図５（イ）（ロ）（ハ）に示したスクリューコンベヤと同様の構成におけるスクリュー７のスクリュー軸８の先端部を、ケーシング１の排出口５よりも後方へ延長させて突出させると共に、上記ケーシング１の排出口５側に、下端に出口２０を備えた排出部ボックス１９を設けて、該排出部ボックス１９の反ケーシング１側の側壁部にて上記スクリュー軸８の先端部を回転自在に支承させるようにし、該スクリュー軸８の先端部に掻き取り板２１を設けた構成としてある。これにより、投入口２を通してケーシング１内に投入された後、回転するスクリュー７のスクリュー羽根９によってケーシング１内を排出口５側へ搬送される廃棄物３が、該排出口５より上記排出部ボックス１９内へ押し出されて出口２０より下方へ落下排出させられる際、上記排出部ボックス１９内へ押し出された廃棄物３が、該排出部ボックス１９内でブリッジを発生するようになる虞を、上記掻き取り板２１の回転で防止できるようにしたものが従来提案されている（たとえば、特許文献２参照）。
【００１０】
【特許文献１】特開平１０−２５３０２５号公報
【特許文献２】実開平２−３６７２９号公報
【発明の開示】
【発明が解決しようとする課題】
【００１１】
ところが、廃棄物処理施設にて近年その処理量が増大している廃棄されたプラスチック類の処理を行う場合には、破砕された廃プラスチックのように嵩密度が極端に小さく、且つ圧縮性の高い廃棄物３を、搬送対象物として図５（イ）（ロ）（ハ）に示した如き従来の給じん装置となるスクリューコンベヤで搬送する場合が生じるが、この場合、上記破砕された廃プラスチックのような廃棄物３は、自重が軽いために、自重ではシュート４より投入口２を通してケーシング１内へ落下され難く、又、上記シュート４の上流側に設けてある図示しない供給機より供給される上記破砕された廃プラスチックのような廃棄物３が投入口２へ入るときに膨張するため該投入口２の部分でブリッジを発生し易いという問題がある。
【００１２】
又、上記破砕された廃プラスチックのような廃棄物３では、嵩密度が極端に小さく且つ圧縮性が高いために、たとえシュート４の形状を上方から下方へ向けて絞りのない形状にした場合であっても、ケーシング１の投入口２部分でブリッジが発生してしまうという問題は解消されない。
【００１３】
更に、上記破砕された廃プラスチックのような廃棄物３では、個々の破砕片同士の結びつきが小さいため、ある破砕片が移動しても、他の破砕片が同伴され難い。このため、シュート４に、特許文献１に示されたような押しロッド１８をケーシング１の投入口２の方向へ押し引きできるプッシャー装置１７を有するブリッジ解除装置を装備して、ケーシング１の投入口２部分に上記廃プラスチックのような廃棄物３によるブリッジが形成されるときに、上記各プッシャー装置１７により押しロッド１８を前進させるようにしても、該各押しロッド１８の進行方向の前方に位置する廃棄物３が移動させられるのみで、その周囲の廃棄物３はあまり移動されない状態、すなわち、各押しロッド１８の先端がブリッジを形成している廃棄物３に潜り込むのみで、ブリッジを崩すまでに至らないという虞が生じるという問題がある。しかも、上記特許文献１に示されたブリッジ解除装置は、押しロッド１８をケーシング１の投入口２方向へ前進後退させるために大きなストロークが必要になるため、設置スペースが制限されている場合には適用できないという問題もある。
【００１４】
更に又、上記破砕された廃プラスチックのような廃棄物３を図５（イ）（ロ）（ハ）に示した如き従来のスクリューコンベヤで搬送しようとする場合には、上記廃棄物３の破砕片同士が同伴され難いことに起因して、図５（ハ）に二点鎖線で示す如く、ケーシング１内におけるスクリュー７の下方や側方に、回転するスクリュー羽根９に飲み込まれずに滞留したまま搬送されない廃棄物、所謂死ごみ３ａが発生するという問題があり、更に、ケーシング１の投入口２の下方に位置するスクリュー７の下方や側方に死ごみ３ａが溜まると、この溜まった死ごみ３ａによりケーシング１内の廃棄物３の受け入れスペースが制限されて、該ケーシング１内へのシュート４からの廃棄物３の落下投入が阻害され、このことによっても廃棄物３のブリッジが形成され易くなってしまうという問題もある。
【００１５】
なお、特許文献２に記載されたものは、ケーシング１の排出口５側に設けた排出部ボックス１９内におけるブリッジの発生を防止するためのものであって、シュート４より供給される廃棄物３によるケーシング１の投入口２部分におけるブリッジの発生を防止することができるものではない。又、前述したような従来提案されている対策では対処しきれない破砕された廃プラスチックのように嵩密度が小さく、且つ圧縮性の高い廃棄物３によるケーシング１の投入口２部分に形成されるブリッジの発生を防止することについて何ら示唆されるものでもない。
【００１６】
そこで、本発明は、破砕された廃プラスチックのように嵩密度が小さく、且つ圧縮性の高い搬送対象物を取り扱う場合であっても、ケーシングの投入口部分に上記搬送対象物のブリッジが発生することを未然に防止できるスクリューコンベヤを提供しようとするものである。
【課題を解決するための手段】
【００１７】
本発明は、上記課題を解決するために、一端側に投入口を設けて該投入口に貯槽の下端を接続し且つ他端に排出口を設けたケーシングの内側に、スクリュー軸と該スクリュー軸に一体に取り付けた螺旋方向のスクリュー羽根とからなるスクリューを回転駆動可能に収納して、上記貯槽より投入口を通してケーシング内に投入される搬送対象物を、回転する上記スクリューにより排出口へ搬送できるようにしてあるスクリューコンベヤにおいて、上記投入口の下方に位置するスクリューの所要個所に、上記スクリュー羽根よりも外周側へ所要寸法突出する高さとした単数又は複数枚のプレート部材を一体に設け、ケーシングの投入口部分でブリッジを形成しようとする搬送対象物を上記スクリューとともに回転する上記プレート部材により掻き落すことができるようにした構成とする。
【００１８】
又、上記構成におけるプレート部材を、スクリュー羽根のピッチ間のスクリュー軸の外周面に取り付けるようにした構成とする。
【００１９】
同じく、プレート部材を、スクリューの軸心方向よりスクリュー羽根の螺旋方向に沿うよう所要角度傾斜させるようにした構成とする。
【００２０】
同じく、プレート部材をケーシング内の搬送対象物搬送方向に複数枚設けて、該各プレート部材がほぼ一直線上に並ぶ配置となるようにした構成とする。
【００２１】
同じく、プレート部材をケーシング内の搬送対象物搬送方向に複数枚設けて、該各プレート部材の高さを互いに異なるものとした構成とする。
【００２２】
同じく、プレート部材は、先端部を尖った角部のない滑らかな形状とした構成とする。
【発明の効果】
【００２３】
本発明のスクリューコンベヤによれば、以下の如き優れた効果を発揮する。 
（１）一端側に投入口を設けて該投入口に貯槽の下端を接続し且つ他端に排出口を設けたケーシングの内側に、スクリュー軸と該スクリュー軸に一体に取り付けた螺旋方向のスクリュー羽根とからなるスクリューを回転駆動可能に収納して、上記貯槽より投入口を通してケーシング内に投入される搬送対象物を、回転する上記スクリューにより排出口へ搬送できるようにしてあるスクリューコンベヤにおいて、上記投入口の下方に位置するスクリューの所要個所に、上記スクリュー羽根よりも外周側へ所要寸法突出する高さとした単数又は複数枚のプレート部材を一体に設け、ケーシングの投入口部分でブリッジを形成しようとする搬送対象物を上記スクリューとともに回転する上記プレート部材により掻き落すことができるようにした構成としてあるので、ケーシングの投入口の部分にてブリッジを形成しようとする搬送対象物を、スクリューの回転と一体に回転するプレート部材によって掻き落とすことができる。このため、ケーシングの投入口部分における搬送対象物のブリッジの発生は未然に防止できる。 
（２）又、投入口の下方となるケーシング内にてスクリューの下方や側方に滞留する搬送対象物を、回転するプレート部材によって掻き上げることで、上記スクリューの下方や側方に滞留する搬送対象物のスクリューへの飲み込みを促すことができる。このため、スクリューの下方や側方に位置する搬送対象物の排出口への搬送を促すことで投入口の下方となるケーシング内における搬送対象物の受け入れスペースを増加させることができることから、投入口からの搬送対象物のケーシング内への受け入れをより円滑に行わせることができて、このことによってもケーシングの投入口部分における搬送対象物のブリッジの発生を防止できる。 
（３）プレート部材を、スクリュー羽根のピッチ間のスクリュー軸の外周面に取り付けるようにした構成とすることにより、スクリューへのプレート部材の取り付けを容易に行なうことができる。 
（４）プレート部材を、スクリューの軸心方向よりスクリュー羽根の螺旋方向に沿うよう所要角度傾斜させるようにした構成とすることにより、回転するプレート部材によって掻かれる搬送対象物に対し、ケーシングの排出方向へ移動させるための推力を付与できる。
このため、ケーシング内にてスクリューの下方や側方に位置する搬送対象物であっても、順次排出口方向へ移動させることができるため、投入口からの搬送対象物のケーシング内への受け入れを更に円滑なものとして、ケーシングの投入口部分における搬送対象物のブリッジの発生をより効率よく防止できる。 
（５）上記において、プレート部材をケーシング内の搬送対象物搬送方向に複数枚設けて、該各プレート部材がほぼ一直線上に並ぶ配置となるようにした構成とすることにより、上記複数枚のプレート部材により、スクリューの軸心方向よりスクリュー羽根の螺旋方向に沿うよう所要角度傾斜した１枚の大きなプレート部材を設ける場合と同様の機能を発揮させることができ、このため搬送対象物のケーシングの排出口方向への移動をより効率よく行わせることができる。 
（６）プレート部材をケーシング内の搬送対象物搬送方向に複数枚設けて、該各プレート部材の高さを互いに異なるものとした構成とすることにより、各プレート部材が回転するときに、ケーシングの投入口部分に位置する搬送対象物の掻き落とす量を変化させることができ、これにより、上記ケーシングの投入口部分にて搬送対象物がブリッジするバランスを崩して、該ケーシングの投入口部分における搬送対象物のブリッジの発生をより効率よく防止することができる。 
（７）プレート部材は、先端部を尖った角部のない滑らかな形状とした構成とすることにより、プレート部材に紐状等の搬送対象物が引っ掛り、該引っ掛った搬送対象物がスクリューに巻きつくようになる虞を抑制できる。
【発明を実施するための最良の形態】
【００２４】
以下、本発明を実施するための最良の形態を図面を参照して説明する。
【００２５】
図１（イ）（ロ）乃至図３は本発明のスクリューコンベヤの実施の一形態を示すもので、図５（イ）（ロ）（ハ）に示したと同様の構成としてあるスクリューコンベヤにおいて、ケーシング１の投入口２の下方に位置するスクリュー７の一端部所要個所に、スクリュー羽根９よりも外周側へ所要寸法突出する高さとした単数又は複数枚（図では２枚）のプレート部材２２ａと２２ｂを、該各プレート部材２２ａ，２２ｂの側面がスクリュー７の回転方向に臨むよう取り付けて、スクリュー７と一体に回転する上記プレート部材２２ａ，２２ｂにより、ケーシング１の投入口２部分に位置する搬送対象物としての廃棄物３を掻き落とすことができるようにする。なお、本明細書において、「ケーシング１の投入口２部分」とは、ケーシング１の内側にて投入口２の近傍となる領域を指すものとする。
【００２６】
以下、詳述する。
【００２７】
上記プレート部材２２ａと２２ｂは、いずれもスクリュー羽根９の高さ寸法よりも高く且つ回転時にケーシング１の内面と干渉しない所要の高さ寸法としてある。この場合に、上記各プレート部材２２ａ，２２ｂの高さ寸法を多少相違させ、たとえば、ケーシング１内における廃棄物３の搬送方向の上流側、すなわち、反排出口側に位置する一方のプレート部材２２ａよりも、排出口側（ケーシング１内における廃棄物３搬送方向の下流側）に位置する他方のプレート部材２２ｂの方が高くなるように高さ寸法を相違させることもでき、このようにすると、プレート部材２２ａと２２ｂの回転時にケーシング１の投入口２部分に位置する廃棄物３を掻く量を相違したものとすることができる。
【００２８】
又、上記各プレート部材２２ａ，２２ｂは、それぞれ、スクリュー７の軸心方向よりスクリュー羽根９の螺旋方向へ沿うように所要角度傾斜させた状態として、スクリュー軸８の外周にてスクリュー羽根９の隣接するピッチ間位置にそれぞれ配置すると共に、該各プレート部材２２ａ，２２ｂの基端部を、スクリュー軸８の外周に一体に取り付けるようにしてある。これにより、上記各プレート部材２２ａ，２２ｂがスクリュー７の回転と一体に回転するときに、該各プレート部材２２ａ，２２ｂによって掻き落される廃棄物３に対して、ケーシング１の排出口５の方向へ移動させるための推力を付与することができるようにしてある。
【００２９】
更に、上記各プレート部材２２ａ，２２ｂは、図２（イ）（ロ）に示す如く、該各プレート部材２２ａ，２２ｂのスクリュー７の軸心方向からの傾斜方向に沿ってほぼ一直線上に並ぶ配置としてスクリュー軸８へ取り付けるようにしてある。これにより、上記一方のプレート部材２２ａによって掻かれることにより推力が付与されてケーシング１の排出口５の方向へ移動させられる廃棄物３を、続けて上記他方のプレート部材２２ｂで掻いて推力を付与することで、上記排出口５の方向へ更に移動させることができるようにしてある。すなわち、上記各プレート部材２２ａ，２２ｂを、該各プレート部材２２ａ，２２ｂのスクリュー７の軸心方向からの傾斜方向に沿って連続する１枚の大きなプレート部材のように機能させて、廃棄物３のケーシング１の排出口５方向への移動を効率よく行わせることができるようにしてある。
【００３０】
更に又、上記各プレート部材２２ａ，２２ｂは、いずれも先端部のコーナ部を丸めた矩形状として、紐状の廃棄物３等の引っ掛りを抑えて、該紐状の廃棄物３等がスクリュー７に巻き付く虞を抑制できるようにしてある。
【００３１】
その他の構成は図５（イ）（ロ）（ハ）に示したものと同様であり、同一のものには同一符号が付してある。
【００３２】
本発明のスクリューコンベヤを給じん装置として使用する場合には、駆動装置１１を稼動させ、該駆動装置１１の回転駆動力を動力伝達機構１２を介しスクリュー軸８へ伝達させてスクリュー７を回転駆動させるようにする。この状態にて、廃棄物３をシュート４へ供給して該シュート４内の廃棄物３を投入口２を通してケーシング１内へ落下投入させると、廃棄物３は、従来のスクリューコンベヤの場合と同様に、回転駆動されるスクリュー７のスクリュー羽根９の回転により順次排出口５側へ搬送され、排出口５より順次押し出されて図示しない焼却炉へ定量供給されるようになる。
【００３３】
この際、下流側に設置される焼却炉内は負圧となるため、シュート４内は廃棄物３でシールする必要がある。そのために、シュート４内には廃棄物３が溜められるが、上記廃棄物３が、破砕された廃プラスチックのように嵩密度が極端に小さく、且つ圧縮性の高い廃棄物３の場合には、ケーシング１の投入口２部分に、図１（イ）に二点鎖線で示す如く、スクリュー７のスクリュー羽根９に飲み込まれない廃棄物３がブリッジを形成し始め、ブリッジが発生してしまうことになる。本発明のスクリューコンベヤは、上記スクリュー７の投入口２の下方位置となる一端部にはスクリュー羽根９よりも外周側へ突出するプレート部材２２ａ，２２ｂが一体に取り付けてあって、このプレート部材２２ａと２２ｂがスクリュー７と一体に回転されるため、該各プレート部材２２ａ，２２ｂの回転により、上記ケーシング１の投入口２部分にてブリッジを形成しようとしていた廃棄物３は順次掻き落とされてケーシング１内へ落下させられることになる。これにより、ブリッジを形成しようとしていた廃棄物３のバランスが崩されるため、ブリッジが発生することはなくなる。ケーシング１内へ落下させられる廃棄物３は、スクリュー羽根９の回転によりケーシング１内を排出口５の方向へ順次搬送されるようになる。
【００３４】
又、上記各プレート部材２２ａと２２ｂを互いに高さ寸法が相違するようにしてあれば、それぞれ回転するときにケーシング１の投入口２部分に位置する廃棄物３の掻き落とす量が相異なるようになる。そのため、上記ケーシング１の投入口２部分では、上記各プレート部材２２ａ，２２ｂによる掻き落としの後に残る廃棄物３のブリッジするバランスがより効率的に崩されるようになり、このことによっても、上記ケーシング１の投入口２部分における廃棄物３のブリッジの発生が抑制される。
【００３５】
更に、上記各プレート部材２２ａ，２２ｂは、スクリュー羽根９よりも外周側へ突出するようにしてあると共に、スクリュー７の軸心方向よりスクリュー羽根９の螺旋方向に沿う方向へ所要角度傾斜させた配置としてあるため、上記破砕された廃プラスチックのような廃棄物３が、個々の破砕片同士の結びつきが小さくて破砕片同士が同伴され難いことに起因して、図３に二点鎖線で示す如く、ケーシング１内におけるスクリュー７の下方や側方に、回転するスクリュー羽根９に飲み込まれずに滞留する廃棄物３、所謂死ごみ３ａが発生されそうになったとしても、投入口２の下方では、上記回転する各プレート部材２２ａ，２２ｂによりスクリュー７の下方や側方に位置する廃棄物３が掻き上げられてスクリュー７への飲み込みが促されるようになる。しかも、上記各プレート部材２２ａ，２２ｂによって掻かれる廃棄物３に対しては排出口５方向への推力が付与されることから、上記スクリュー７の下方や側方に位置する廃棄物３も順次排出口５側へ送られて排出口５より排出されるようになる。このためケーシング１内における死ごみ３ａの発生が防止されることから、シュート４内より投入口２を通してケーシング１内へ新たに投入される廃棄物３の受け入れスペースを増大させて、上記新たに投入される廃棄物３のケーシング内への受け入れが、死ごみ３ａに阻害されることなく円滑に行なわれるようになり、このことによってもケーシング１の投入口２部分における廃棄物３のブリッジの発生が効率よく防止されるようになる。
【００３６】
このように、本発明のスクリューコンベヤによれば、破砕された廃プラスチックのように嵩密度が小さく且つ圧縮性の高い廃棄物３であっても、ケーシング１の投入口２部分におけるブリッジの発生を未然に防止することができることから、上記本発明のスクリューコンベヤを廃棄物処理設備の焼却炉の給じん装置として使用する場合に、ケーシング１の投入口２部分に発生した廃棄物３のブリッジを解除させるために従来生じていた如き施設の運転に支障を来たす虞を解消させることが可能となる。
【００３７】
又、上記プレート部材２２ａ，２２ｂは、ケーシング１の投入口２の下方に位置するスクリュー７の一端部に取り付けるものであるため、本発明のスクリューコンベヤは、図５（イ）（ロ）（ハ）に示した従来のスクリューコンベヤと同等のサイズとすることができて、ケーシング１の外部の設置スペースが制限されている場合であっても、ケーシング１の投入口２部分における廃棄物３のブリッジの発生を未然に防止する構成とすることができる。
【００３８】
なお、本発明は上記実施の形態のみに限定されるものではなく、上記実施の形態においては、スクリュー軸８に２枚のプレート部材２２ａ，２２ｂを取り付けるものとして示したが、ケーシング１の投入口２部分にてブリッジを形成しようとする廃棄物３を掻き落とすことができるようにすれば、スクリュー７の一端部に設けるプレート部材の枚数は、上記投入口２のサイズ等に応じて１枚又は３枚以上設けるようにしてもよい。プレート部材２２ａ，２２ｂの形状は、コーナー部を丸めた略矩形状のものとして示したが、先端側に尖った角部がない滑らかな形状となるようにすれば、先端部が円弧や楕円弧を描く形状とする等、形状は自在に設定してもよい。２枚のプレート部材２２ａ，２２ｂをスクリュー軸８に取り付けるときには、上記各プレート部材２２ａ，２２ｂを、該各プレート部材２２ａ，２２ｂのスクリュー７の軸心方向からの傾斜方向に沿ってほぼ一直線上に並ぶ配置とすることが好ましいが、該各プレート部材２２ａと２２ｂのスクリュー軸８の周方向に対する配置は自在に設定してよく、たとえば、図４に示す如く、スクリュー７回転時に反排出口５側のプレート部材２２ａが、排出口５側のプレート部材２２ｂよりも所要角度先行して回転するような配置としてもよい。この場合は、スクリュー７回転時に先行して回転する一方のプレート部材２２ａによりケーシング１の投入口２部分より掻き落される廃棄物３を、該プレート部材２２ａと追従して回転する他方のプレート部材２２ｂとの間に受け入れることができるため、ケーシング１の投入口２部分に位置する廃棄物３の掻き落し効率の向上が期待できる。上記実施の形態においては、反排出口５側のプレート部材２２ａよりも、排出口５側のプレート部材２２ｂの方が高さ寸法が高いものとして示したが、互いの高さ寸法を逆転させてもよく、更には、２枚以上のプレート部材を設ける場合、それぞれの高さ寸法を相違させることが望ましいが、同じ高さ寸法とするようにしてもよい。スクリュー７を回転駆動させることができれば、動力伝達機構１２の形式や、駆動装置１１及び動力伝達機構１２の配置等は自在に変更してもよい。本発明のスクリューコンベヤは、嵩密度が小さく且つ圧縮性が高くてブリッジを発生し易い搬送対象物を取り扱うことが考えられるスクリューコンベヤであれば、破砕された廃プラスチックのような廃棄物３の定量供給を行なうための給じん装置以外のいかなるスクリューコンベヤにも適用できること、その他本発明の要旨を逸脱しない範囲内において種々変更を加え得ることは勿論である。
【図面の簡単な説明】
【００３９】
【図１】本発明のスクリューコンベヤの実施の一形態を示すもので、（イ）は概略切断側面図、（ロ）は（イ）の要部を拡大して示す側面図である。
【図２】（イ）は図１のスクリューコンベヤの概略切断平面図、（ロ）は（イ）の要部を拡大して示すもので、図１（ロ）の平面図である。
【図３】図１（イ）のＡ−Ａ方向矢視拡大図である。
【図４】本発明の実施の他の形態を示すもので、図２（ロ）に対応する図である。
【図５】スクリューコンベヤの一例を示すもので、（イ）は概略切断側面図、（ロ）は概略切断平面図、（ハ）は（イ）のＢ−Ｂ方向矢視拡大図である。
【図６】従来提案されているスクリューコンベヤのブリッジ解除装置の一例を示す一部切断概略側面図である。
【図７】従来提案されているスクリューコンベヤの排出部ボックス内におけるブリッジの発生を防止するための装置の一例を示す概略切断側面図である。
【符号の説明】
【００４０】
１  ケーシング
２  投入口
３  廃棄物（搬送対象物）
４  シュート（貯槽）
５  排出口
７  スクリュー
８  スクリュー軸
９  スクリュー羽根
２２ａ，２２ｂ  プレート部材
【図１】
2005145621.tif 000003
【図２】
2005145621.tif 000004
【図３】
2005145621.tif 000005
【図４】
2005145621.tif 000006
【図５】
2005145621.tif 000007
【図６】
2005145621.tif 000008
【図７】
2005145621.tif 000009